【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
リードイン領域、データ領域及びリードアウト領域を備える追記型ディスクにおいて、
欠陥管理のための少なくとも一つの領域が前記データ領域に割当てられているか否かを表す領域割当情報を記録するための所定領域を備えることを特徴とするディスク。
【請求項２】
前記領域割当情報は、前記データ領域に割当てられた領域のサイズを表す情報を含むことを特徴とする請求項1に記載のディスク。
【請求項３】
欠陥管理のために前記データ領域に割当てられる領域は、スペア領域、臨時欠陥管理情報領域、臨時欠陥情報領域又は臨時欠陥管理領域を含むことを特徴とする請求項1に記載のディスク。
【請求項４】
データ記録領域情報を記録するためのスペースビットマップ情報領域を更に備え、
前記データ記録領域情報は、ヘッダー情報と、データが記録された領域を表すビットマップとを備えることを特徴とする請求項1に記載のディスク。
【請求項５】
前記領域割当情報が、前記所定領域の所定クラスタに記録されている場合には、前記所定クラスタに対応する前記ビットマップのビットが、データが記録されたクラスタであることを表す所定値として記録されたことを特徴とする請求項４に記載のディスク。
【請求項６】
前記ヘッド情報は、ディスクに追加的にデータを記録できるか否かを表す最終化フラグを備えることを特徴とする請求項４に記載のディスク。
【請求項７】
前記領域割当情報を記録するための所定領域は、臨時欠陥管理情報領域であることを特徴とする請求項３に記載のディスク。
【請求項８】
前記データ領域に欠陥管理のための領域が割当てられなければ、前記臨時欠陥管理情報領域に記録された前記領域割当情報を複製して再記録するための欠陥管理領域を更に備えることを特徴とする請求項７に記載のディスク。
【請求項９】
前記リードイン領域に第１臨時欠陥管理領域を備え、
前記データ領域に第２臨時欠陥管理領域を備え、
前記領域割当情報は、前記第２臨時欠陥管理領域が前記データ領域に割当てられていることを表す情報であり、
前記領域割当情報を記録するための前記所定領域は、前記第１臨時欠陥管理領域及び前記第２臨時欠陥管理領域のうち、何れか一つであることを特徴とする請求項1に記載のディスク。
【請求項１０】
前記第１臨時欠陥管理領域は、アップデートされた臨時欠陥管理情報を、ディスクが記録及び／または再生装置からイジェクトされる直前に、少なくとも１回記録するための領域であり、
前記第２臨時欠陥管理領域は、データを記録する所定オペレーション単位でアップデートされた臨時欠陥管理情報を記録するための領域であることを特徴とする請求項９に記載のディスク。
【請求項１１】
前記領域割当情報は、前記所定領域の少なくとも一つのクラスタに記録され、前記領域割当情報のアップデートされた情報は、異なる少なくとも一つのクラスタにさらに記録されたことを特徴とする請求項1に記載のディスク。
【請求項１２】
追記型ディスクのデータ領域に、欠陥管理のための少なくとも一つの領域の割当如何に関する命令を入力されるステップと、
前記命令により、前記欠陥管理のための領域が前記データ領域に割当てられているか否かを表す領域割当情報を前記追記型ディスクの所定領域に記録するステップとを含むことを特徴とするディスクのデータ領域の管理方法。
【請求項１３】
前記領域割当情報記録ステップは、
前記データ領域に割当てられた領域のサイズに関する情報を記録するステップを含むことを特徴とする請求項１２に記載のディスクのデータ領域の管理方法。
【請求項１４】
前記領域割当情報記録ステップは、前記追記型ディスクに設けられたリードイン領域、データ領域及びリードアウト領域のうち、少なくとも何れか一つに設けられた臨時欠陥管理情報領域に前記領域割当情報を記録するステップであることを特徴とする請求項１２に記載のディスクのデータ領域の管理方法。
【請求項１５】
データ記録領域情報を前記追記型ディスクの所定領域に記録するステップを更に含み、
前記データ記録領域情報は、ヘッド情報と、データが記録された領域を表すビットマップとを備えることを特徴とする請求項１２に記載のディスクのデータ領域の管理方法。
【請求項１６】
前記データ記録領域情報記録ステップは、
前記欠陥管理のための少なくとも一つの領域の割当如何を表す情報が記録されている所定領域に対応する前記ビットマップのビット値を、データが記録されている領域であることを表す所定値として記録するステップを含むことを特徴とする請求項１５に記載のディスクのデータ領域の管理方法。
【請求項１７】
前記ヘッド情報は、前記追記型ディスクに追加的にデータを記録できるか否かを表す最終化フラグを含むことを特徴とする請求項１５に記載のディスクのデータ領域の管理方法。
【請求項１８】
前記領域割当情報記録ステップは、
前記データ領域に前記欠陥管理のための領域を割当てない場合、前記欠陥管理のための領域のサイズが実質的に“０”であることを表す領域割当情報を記録するステップであることを特徴とする請求項１３に記載のディスクのデータ領域の管理方法。
【請求項１９】
前記臨時欠陥管理領域に記録されている領域割当情報を欠陥管理領域に記録するステップを更に含むことを特徴とする請求項１２に記載のディスクのデータ領域の管理方法。
【請求項２０】
欠陥管理のために前記データ領域に割当てられる前記領域は、スペア領域、臨時欠陥管理情報領域、臨時欠陥情報領域及び臨時欠陥管理領域のうち、少なくとも何れか一つの領域であることを特徴とする請求項１２に記載のディスクのデータ領域の管理方法。
【請求項２１】
前記領域割当情報記録ステップは、第２臨時欠陥管理領域が前記データ領域に割当てられていることを表す領域割当情報を、前記追記型ディスクのリードイン領域に設けられた第１臨時欠陥管理領域または前記第２臨時欠陥管理領域のうち、何れか一つに記録するステップであることを特徴とする請求項１２に記載のディスクのデータ領域の管理方法。
【請求項２２】
前記第１臨時欠陥管理領域は、アップデートされた臨時欠陥管理情報を前記追記型ディスクがディスクドライブからイジェクトされる直前に、少なくとも１回記録するための領域であり、
前記第２臨時欠陥管理領域は、データを記録する所定オペレーション単位でアップデートされた臨時欠陥管理情報を記録するための領域であることを特徴とする請求項２１に記載のディスクのデータ領域の管理方法。
【請求項２３】
前記データ領域に割当てられた前記欠陥管理のための少なくとも一つの領域のサイズの変更命令により、前記欠陥管理のための少なくとも一つの領域の変更されたサイズ情報を含む領域割当情報を前記所定領域に記録して、前記領域割当情報をアップデートするステップを更に含むことを特徴とする請求項１２に記載のディスクのデータ領域の管理方法。
【請求項２４】
前記領域割当情報記録ステップは、前記臨時欠陥管理情報領域の開始位置から少なくとも一つのクラスタに前記領域割当情報を記録するステップであることを特徴とする請求項１４に記載のディスクのデータ領域の管理方法。
【請求項２５】
追記型ディスクの所定領域にアクセスして領域割当情報を得るステップと、
前記領域割当情報から、前記追記型ディスクのデータ領域に割当てられた欠陥管理のための少なくとも一つの領域の位置情報を得るステップとを含むことを特徴とするデータの再生方法。
【請求項２６】
前記領域割当情報は、前記データ領域に割当てられた領域のサイズに関する情報を備えることを特徴とする請求項２５に記載のデータの再生方法。
【請求項２７】
前記領域割当情報が記録された前記所定領域は、前記追記型ディスクに設けられたリードイン領域、データ領域及びリードアウト領域のうち、少なくとも何れか一つに設けられた臨時欠陥管理情報領域であり、前記領域割当情報は、臨時欠陥管理情報に含まれた情報であることを特徴とする請求項２５に記載のデータの再生方法。
【請求項２８】
欠陥管理のために前記データ領域に割当てられる前記領域は、スペア領域、臨時欠陥管理情報領域、臨時欠陥情報領域及び臨時欠陥管理領域のうち、少なくとも何れか一つの領域であることを特徴とする請求項２５に記載のデータの再生方法。
【請求項２９】
欠陥管理のために前記データ領域に割当てられる領域は、スペア領域、臨時欠陥管理情報領域、臨時欠陥情報領域又は臨時欠陥管理領域を含むことを特徴とする請求項２５にデータの再生方法。
【請求項３０】
前記ディスクはさらに、前記リードイン領域に第１臨時欠陥管理領域と、前記データ領域に第２臨時欠陥管理領域とを備え、
前記領域割当情報は、前記第２臨時欠陥管理領域が前記データ領域に割当てられていることを表し、
前記領域割当情報を記録するための前記所定領域は、前記第１臨時欠陥管理領域及び前記第２臨時欠陥管理領域のうち、何れか一つであることを特徴とする請求項２５に記載のデータの再生方法。
【請求項３１】
少なくとも一つの記録層を備える追記型ディスクにおいて、
ユーザーデータを記録するための少なくとも一つのデータ領域と、
欠陥管理のための少なくとも一つの領域が、前記少なくとも一つのデータ領域に割当てられているか否かを表す領域割当情報を記録するための少なくとも一つの所定領域とを備えることを特徴とするディスク。
【請求項３２】
前記領域割当情報は、前記データ領域に割当てられた領域のサイズを表す情報を含むことを特徴とする請求項３１に記載のディスク。
【請求項３３】
欠陥管理のために前記データ領域に割当てられる領域は、スペア領域、臨時欠陥管理情報領域、臨時欠陥情報領域及び臨時欠陥管理領域のうち、少なくとも何れか一つであることを特徴とする請求項３１に記載のディスク。
【請求項３４】
前記データ領域に前記欠陥管理のための領域が割当てられない場合、前記領域割当情報は、前記データ領域に割当てられない領域のサイズが実質的に“０”であることを表す情報であることを特徴とする請求項３１に記載のディスク。
【請求項３５】
記録媒体において、
欠陥管理情報を保存するために、第１所定のサイズを有する第１領域と、
ユーザーデータを記録するために使用される第２所定のサイズを有する第２領域と、
前記欠陥管理情報に基づいて、前記第２領域内で検出された欠陥ユニットを代替するためのデータを保存する第３所定のサイズを有する第３領域と、を備え、
前記第２領域は、前記第１領域に隣接したものであることを特徴とする記録媒体。
【請求項３６】
前記第１領域は、前記記録媒体上でリードイン領域またはリードアウト領域のうち、少なくとも何れか一つであることを特徴とする請求項３５に記載の記録媒体。
【請求項３７】
前記記録媒体の各対応領域の第１、第２、第３所定サイズは、前記各所定サイズをアップデートするために前記記録媒体を再初期化することで変更されることを特徴とする請求項３５に記載の記録媒体。
【請求項３８】
欠陥管理が行われない時、前記第３領域の所定サイズは、前記第２領域のサイズを最大化するためにゼロに設定されることを特徴とする請求項３７に記載の記録媒体。
【請求項３９】
前記記録媒体は、追記型光ディスクであることを特徴とする請求項３５に記載の記録媒体。
【請求項４０】
前記第１領域は、前記追記型光ディスク上でリードイン領域またはリードアウト領域のうち、少なくとも何れか一つであることを特徴とする請求項３５に記載の記録媒体。
【請求項４１】
前記第１領域は、互いに隣接して位置した複数の欠陥管理領域に分割されることを特徴とする請求項４０に記載の記録媒体。
【請求項４２】
前記追記型光ディスクの各対応領域の第１、第２、第３所定サイズは、前記各所定サイズをアップデートするために前記追記型光ディスクを再初期化することで変更されることを特徴とする請求項４１に記載の記録媒体。
【請求項４３】
前記欠陥管理が行われない時、前記第３領域の所定サイズは、前記第２領域のサイズを最大化するためにゼロに設定されることを特徴とする請求項４２に記載の記録媒体。
【請求項４４】
前記複数の欠陥管理領域のうち、少なくとも何れか一つは、前記データ記録可能領域に対応するビットマップ情報を指定するスペースビットマップ領域であり、記録／再生装置は、意図する領域を速かにアクセスできることを特徴とする請求項４１に記載の記録媒体。